(57)【要約】【課題】入浴者が保温効果、血行促進効果、マイナスイオン効果を得ることができる浴槽用健康促進装置を提供すること。【解決手段】水又は湯水が給水される浴槽２の水又は湯水内に複数の電極４〜７を浸水させ、互いに対向した位置で浴槽２の内面に吸盤により吸着して固定し、コネクタ２１をメス型コネクタ５３に結合したのち電源スイッチ５４を入れ、対向配置された電極４と５、６と７間に制御回路８から３５Ｖ以下の交流電圧を供給すると、水又は湯水内に微弱電流が流れる。微弱電流が流れた湯水は、まろやかとなり、この湯水に入浴することにより入浴者に微弱電流が流れる。上記制御回路８に電源として１２Ｖ以下の乾電池を接続した浴槽用健康促進装置。【選択図】　　　図１
2004057668.tif 000002
【特許請求の範囲】
【請求項１】
浴槽内に設けられる電極と、
１２Ｖ以下の独立した電源装置と、
前記電源装置の電圧を３５Ｖより低い電圧の範囲で昇圧して前記電極に給電する昇圧回路と
を具備してなることを特徴とする浴槽用健康促進装置。
【請求項２】
互いに対向した位置で浴槽の内面に取付け部に設けた吸盤により吸着される複数の電極と、
前記複数の電極からそれぞれ絶縁して接続され対向する前記電極間に３５Ｖ以下の交流電圧を給電する昇圧回路と、
前記昇圧回路に電源として接続された１２Ｖ以下の独立した電源装置と
を具備してなることを特徴とする浴槽用健康促進装置。
【請求項３】
前記電極は、一つの電極又は対向配置される複数の電極からなることを特徴とする請求項１又は２項記載の浴槽用健康促進装置。
【請求項４】
前記電極は、電極本体の露出面が外側に突出する曲面状であることを特徴とする請求項１乃至３のいずれか１項記載の浴槽用健康促進装置。
【請求項５】
前記電源装置は、一次電池又は二次電池からなることを特徴とする請求項１乃至４のいずれか１項記載の浴槽用健康促進装置。
【請求項６】
前記電源装置は、乾電池、ニッケル−カドミウム電池、ニッケル−水素電池、リチウム電池及び燃料電池のいずれかから成ることを特徴とする請求項１乃至５のいずれか１項記載の浴槽用健康促進装置。
【請求項７】
前記昇圧回路は、前記対向する電極間に供給する電圧を複数段に切換える切換えスイッチを有することを特徴とする請求項１乃至６のいずれか１項記載の浴槽用健康促進装置。
【請求項８】
前記電極に給電される電圧は、パルス電圧、交流電圧又は脈流電圧であることを特徴とする請求項１乃至７のいずれか１項記載の浴槽用健康促進装置。
【請求項９】
前記電極への給電を停止するタイマー装置を具備することを特徴とする請求項１乃至８のいずれか１項記載の浴槽用健康促進装置。
【請求項１０】
浴槽と、
浴槽内に設けられる電極と、
１２Ｖ以下の独立した電源装置と、
前記電源の電圧を３５Ｖより低い電圧の範囲で昇圧して前記電極に給電する昇圧回路と
を具備してなることを特徴とする健康促進装置付浴槽。
【発明の詳細な説明】
【０００１】
【発明の属する技術分野】
本発明は、保温効果があり、血行促進効果、マイナスイオン効果も備えた浴槽用健康促進装置及び健康促進装置付浴槽に関する。
【０００２】
【従来の技術】
入浴には、体の汚れを洗うことだけでなく、一日の疲れを癒したり、筋肉痛や疲れやリウマチなどの病気を和らげる効果があることは広く知られている。
【０００３】
これらの効果は、入浴により体が温まった結果、血行が良くなり、得られたものである。このような体が温まる効果（保温効果）、血行が良くなる効果（血行促進効果）をさらに増進させるために、磁気作用による効果を併用することも提案されている。
【０００４】
例えば、保温効果、血行促進効果を高めた浴槽装置が特開平６−１４２１５６号公報に提案されている。この浴槽装置は、浴槽の外周側に高周波コイル装置を配置し、この高周波コイルに高周波電流を流すことにより浴槽本体を誘導加熱して湯温にし、入浴中も高周波電流を流すことにより浴槽本体内に磁束を生成させて、この磁束により入浴者の血行を促進させるものである。
【０００５】
磁気作用以外でも、電極を皮膚に密着させて低周波電流を流し、低周波電流による筋肉の収縮作用により同様の効果を得るようにした装置も一般に用いられている。
【０００６】
【発明が解決しようとする課題】
しかしながら、前者の、浴槽の外側に長大なる高周波コイル設けてこの高周波コイルに湯を沸かす程度の高周波の大電流を流す装置は、高価である上に、大規模な装置となり、さらに施療の部位に対応して磁束の発生部位や強弱を調節できないという問題がある。
【０００７】
また、後者の方法は、施療の部位は電極の装着位置を変えることにより調節が可能な反面、しかも衣服をつけた状態で電極を体へ密接させるため、衣服が邪魔して電極を体へ着脱するのが煩雑であり、しかも施療中には電極が邪魔して不自然な姿勢となることが多く、その効果はかならずしも十分なものとはいえないという問題があった。
【０００８】
本発明は上記従来技術の課題を解決するためになされたものであり、安価で、かつ簡便な装置で、入浴者が保温効果、血行促進効果、マイナスイオン効果を得ることができる浴槽用健康促進装置及び健康促進装置付浴槽を提供することを目的とする。
【０００９】
【課題を解決するための手段】
本発明は上記の目的を達成するため、次のような手段により保温効果、血行促進効果、マイナスイオン効果を得ることができる浴槽用健康促進装置及び健康促進装置付浴槽を提供するものである。
【００１０】
すなわち、本発明の浴槽用健康促進装置は、浴槽内に設けられる電極と、１２Ｖ以下の独立した電源装置と、前記電源装置の電圧を３５Ｖより低い電圧の範囲で昇圧して前記電極に給電する昇圧回路とを具備してなることを特徴とする。
【００１１】
前記の電極は、通常、互いに対向した位置で浴槽の内面に取付け部に設けた吸盤により吸着される複数組の個別の電極からなっている。これらの電極は、浴槽の四隅内面、又は左右の側壁内面に長手方向に間隔をおいて４個配置され、浴槽の長手方向に微弱電流が流れるように長手方向に間隔をおいた電極に正負の電圧が印加される。この場合、長手方向の同一に配置された電極同士には同極性となる。電極の数は、４個に限らず、目的に応じて個数を増減することができる。　浴槽自体が接地電極として機能する場合には、浴槽内に配設する電極を１個とすることも可能である。浴槽内に配設する電極は、導電部材からなる電極本体と、この電極本体に水密に取付けられた電気絶縁性の保持部とからなり、電極本体は保持部内で給電用のリード線に水密的に接続されている。電極本体の形状は、露出面が外側に突出する曲面状をなしていることが望ましい。
【００１２】
本発明の独立した電源装置としては、一次電池、二次電池のいずれも使用可能である。具体的には、乾電池、ニッケル−カドミウム電池、ニッケル−水素電池、リチウム電池及び燃料電池が例示される。これらは、通常、複数個を直列接続して３Ｖ以上１２Ｖ以下の電圧で使用される。安全面を考慮して、直列する個数は、乾電池の場合で４個（６Ｖ以下）、好ましくは３個（４．５Ｖ）として使用する。
【００１３】
なお、これらの電源装置は、水密性で吸盤や引掛け部を設けた筐体内に収容して浴槽近傍の壁面に配設して用いられる。
【００１４】
本発明の昇圧回路は、独立した直流電源装置の出力電圧を３５Ｖ以下の電圧に昇圧する装置であって、公知のインバータ回路を備えたもの等が使用可能である。昇圧装置からの電圧波形は、パルス電圧、交流電圧又は脈流電圧のいずれの電圧波形のものであってもよく、必要に応じて直流で給電するようにしてもよい。この昇圧回路も電源装置を収容した水密性の筐体内に配設される。
【００１５】
なお、筐体には、浴槽内に配設される電極への給電を断続させる電源スイッチや、電極に印加する電圧を段階的に複数段に切換える切換えスイッチを設けることが望ましく、さらに電極への電圧印加時間を調節可能なタイマー装置を設けることがより好ましい。
【００１６】
本発明の浴槽用健康促進装置は、安価で、かつ簡便な装置で、保温効果、血行促進効果、マイナスイオン効果を得ることができる。
【００１７】
また、電源装置が１２Ｖ以下の独立したものであるため、昇圧回路で昇圧しても流れる電流が極めて微弱であるため、周囲が湿気や水の雰囲気である浴室でも漏電や感電の心配がなく、安心して入浴することができる。
【００１８】
また、タイマー装置を設けて、例えば電極への電圧印加時間を１５分間程度に設定しておけば、入浴中うっかり寝てしまったような場合でも自動的に電源が切れるのでより安全である。
【００１９】
【発明の実施の形態】
次に、本発明に係る浴槽用健康促進装置の実施形態を図１〜図２を参照して説明する。図１は本発明に係る浴槽用健康促進装置の電極を浴槽に装着した状態を説明するための斜視図であり、図２は、図１の４つの電極へのケーブルの配線状態を説明するための配線図である。
【００２０】
この実施形態の浴槽用健康促進装置は、一つの浴槽に４つの電極が装着されている。浴槽装置１は浴槽２と、使用時のみ浴槽２に着脱自在に装着することができる浴槽用健康促進装置３とからなる。この浴槽用健康促進装置３は、浴槽２に常設してもよい。
【００２１】
この浴槽２は、入浴するための湯水が給水される有底筒状容器からなるもので、家庭、温泉あるいはホテル等で用いられている金属、磁器、木材、石材、コンクリート等からなる一般の浴槽である。
【００２２】
浴槽用健康促進装置３は、浴槽２に入浴のために給水されている湯水内に微弱電流を流すために対向して設けられる電極４，５，６，７と、この電極４〜７に３５Ｖ以下の電圧例えばパルス電圧を供給するための制御回路８とからなる。電極４，５，６，７は、浴槽２の内側壁面に着脱自在に取着例えば吸盤により取着される。この電極４〜７は、浴槽２内に給水されている湯水内に設けられるのが望ましく、一部露出して設けられてもよい。従って、電極４〜７は、防水構造に構成される。吸盤は、各電極４，５，６，７の取付け部に設けられる。
【００２３】
制御回路８は、水分の多い浴室に設置されるため電源装置として乾電池が望ましく、この乾電池を電源として電極４〜７に供給するためのパルス電圧を出力する回路である。制御回路８は、浴槽２近傍に設置されることが望ましく、浴室の内壁面に着脱自在に取着例えば吸盤により取着される。この着脱自在に取着手段は、フックにより制御回路８を設置してもよい。
【００２４】
次に、電極４〜７と制御回路８との配線について図２を参照して説明する。制御回路８の出力電圧を電極４〜７に供給するために各電極４〜７には、それぞれ絶縁して４本のケーブル１１，１２，１３，１４が配線されている。各ケーブル１１〜１４は、一端が各電極４〜７に接続され、他端は対向配置される電極４，５のケーブル１１，１２が中継具１５の一端側に接続され、電極６，７のケーブル１３，１４が中継具１６の一端側に接続されている。中継具１５、１６の他端側には、対向配置される電極４，５のケーブル１１，１２と、電極６，７のケーブル１３，１４に対応付けて２芯のケーブル１７，１８の一端が接続されている。２芯のケーブル１７，１８の他端は、中継具１９の一端側に接続され、中継具１９の他端側には４芯のケーブル２０の一端が接続されている。
【００２５】
４芯のケーブル２０の他端には、コネクタ２１が接続され、このコネクタ２１により図１に示す制御回路８に接続されている。このようにして、電極部２２が構成されている。ケーブル１１〜１４は、浴槽２に設置するのに充分な長さに選択され、湯水内に設置されるので、電極４〜７への接続部が防水対策されている。さらに、各ケーブル１１〜１４に接続される各電極４〜７への接続部は、着脱時各ケーブル１１〜１４が屈曲されるため断線防止のための保護具２３，２４，２５，２６が設けられている。中継具１５，１６，１９、ケーブル１７，１８，２０およびコネクタ２１は、湯水内に設置されないことを条件として湿気、水滴などの防滴構造になっている。
【００２６】
浴槽用健康促進装置３は、浴槽２を清掃したり、長期間使用しないときには、浴槽２から取り脱すことが望ましい。このとき浴槽用健康促進装置３は、電極部２２と、制御回路８とをコネクタ２１を抜くことにより分離し、電極４〜７と制御回路８は、吸盤を取外すことにより浴室から環境のよいところへ移動させて保管することができる。浴槽用健康促進装置３は、このように着脱容易な構造に構成されている。
【００２７】
次に、電極４（５，６，７）の構成について図３〜図５を参照して説明する。図３は、図１および図２の電極４〜７を拡大して示す正面図であり、図４は図３の背面図であり、図５は図３の電極４〜７の内部を説明するため厚さ方向が拡大して示されている断面図である。図１および図２と同一部分については、図３〜図５に同一符号を付与し、その詳細な説明は重複するので省略する。
【００２８】
外形が略長楕円形状の絶縁体例えば樹脂からなる下側容器３１が設けられ、この下側容器３１内には導体例えば銅板からなる電極片３２が固定されている。この電極片３２上には、電気的に接続するための中継導体３３を介して表面が曲面状３４に加工された露出電極体３５が設けられている。上記電極片３２にはケーブル１１（１２〜１４）が接続されている。曲面状３４に加工された露出電極体３５は、湯水中を流れる微弱電流が拡散し、この微弱電流が比較的広い範囲に流れる効果がある。
【００２９】
ケーブル１１（１２〜１４）と露出電極体３５とは液密とされた筐体３６内で電気的に接続されている。下側容器３１裏面には電極４〜７を着脱自在に固定するための吸盤３７，３８が設けられ、この吸盤３７，３８の周縁部には、取外すためのフック３９，４０が設けられて電極４（５，６，７）が構成されている。露出電極体３５は、例えば長さが１８ｃｍ、幅が３ｃｍ、厚さが５ｍｍで、幅方向に曲面状に形成された導体、例えばアルミニウムからなっている。各電極４〜７の実施例は、形状および大きさが略同一で、長さが２０ｃｍ、幅が５ｃｍ、厚さが１．５ｃｍである。各電極４〜７の大きさは、異なる大きさにしてもよい。各電極４〜７は、湯水内に設けられたとき、湯水が下側容器３１と、蓋体３６と、露出電極体３５で形成される容器内に侵入しないように防水構造になっている。
【００３０】
次に、制御回路８の構成を図６〜図８を参照して説明する。図６は、制御回路８の実施例を説明するための回路構成図である。図７は、図６の制御回路８を水や湿気から保護するための容器の正面図であり、図８は、図６の制御回路を収容し、固定する容器の背面図である。図１〜図５と同一部分は、図７〜図８に同一符号を付与し、その詳細な説明は省略する。
【００３１】
制御回路８は、電源装置例えば乾電池４５を電源として動作するコンピュータ例えばマイクロコンピュータ４６と、発振回路４７および昇圧回路４８とからなる。マイクロコンピュータ４６には、制御回路８の出力電圧として３５Ｖ以下の予め定められた出力電圧が記憶され、入浴者が希望する電圧を選択できるようにプログラムされている。この実施例では、制御回路８の出力電圧としてパルス幅１秒間で、パルス電圧が２０Ｖと３０Ｖの連続パルス電圧を選択できるスイッチが設けられている。制御回路８の出力電圧は、２０Ｖと３０Ｖに限らず、さらにマイクロコンピュータ４６に入浴者の用途に応じて１５Ｖ、１０Ｖなどの出力を選択することができるようにプログラムすることができる。
【００３２】
さらに、マイクロコンピュータ４６は、制御回路８の出力電圧として、入浴者の用途に応じて入浴前の期間入浴者の設定電圧より多少高めの電圧に制御し、入浴時に入浴者の設定電圧に制御するプログラムを記憶することもできる。さらに、マイクロコンピュータ４６は、制御回路８の出力電圧のパルス幅について、複数のパルス幅例えば１秒間、０．５秒間、０．１秒間など入浴者が選択できるようにプログラムされている。
【００３３】
発振回路４７は、所定のパルス幅の周波数を発振する回路であれば何れの発振回路でもよい。
【００３４】
昇圧回路４８は、発振回路４７の出力電圧を２０Ｖや３０Ｖの電圧に昇圧する回路で、例えばフライバックトランスにより構成することができる。昇圧回路４８の出力電圧波形は、整形回路により所望する波形に整形することができる。例えばパルスの立上り時間、立ち下がり時間などを波形整形してもよい。このようにして制御回路８が構成されている。この制御回路８は、プリント基板に形成される。
【００３５】
制御回路８は、電源装置として乾電池４５を使用し、この乾電池４５の実施例は、１．５Ｖの単３の乾電池を３個直列接続して４．５Ｖの直流電圧を出力する。この直流電圧は、マイクロコンピュータ４６、発振回路４７および昇圧回路４８用の駆動用として供給される電圧が選択される。従って、マイクロコンピュータ４６の駆動電圧は、その他型名により１２Ｖ、９Ｖなどがあり、乾電池４５の電圧としては１２Ｖ以下の電圧が選択される。
【００３６】
浴室のように、水が飛び散り、湿気が多い場所での制御回路８としては、１２Ｖ以下の電圧が漏電や感電などの安全面から望ましく、乾電池４５が利用できることは、ＡＣの配線工事の必要がなく、ＡＣコンセントの無い浴室での利用に好適である。さらに、温泉やホテルに持って行って直ちに利用することができる。
【００３７】
次に、このような構成の制御回路８を収納する容器について図７および図８を参照して説明する。図８に示す樹脂製の有底角筒状容器５１内には、図６に示す制御回路８のプリント基板がネジなどで固定されて設けられる。容器５１に嵌合するように樹脂製の蓋部５２が設けられている。この蓋部５２は、図７において下方が下り斜面５２ａになって曲面を形成している。この斜面５２ａには、図２に示すコネクタ２１が嵌合するメス型コネクタ５３が液密に設けられている。メス型コネクタ５３は、制御回路８の出力電圧を各電極４〜７に出力するためのもので、メス型コネクタ５３には制御回路８の出力回路から図２に示す各電極４〜７が対応付けて配線されている。
【００３８】
蓋部５２には、制御回路８の電源装置を開閉制御する電源スイッチ５４が設けられ、この電源スイッチ５４は制御回路８の電源装置に接続されている。電源スイッチ５４の開閉動作は、目で確認できるように表示ランプ５５例えば発光ダイオードが電源スイッチ５４の回路に接続されている。さらに、蓋部５２には、入浴者が所望の出力を選択できるように切換スイッチ５６が設けられ、切換スイッチ５６は制御回路８のマイクロコンピュータ４６の出力回路に接続されている。この実施例の出力を切換える切換スイッチ５６は、高電圧例えば３０Ｖと低電圧例えば２０Ｖの切換であり、選択した出力を入浴者が目で確認できるようにそれぞれ表示ランプ５７，５８が切換スイッチ５６の回路に接続されて、蓋部５２に設けられている。
【００３９】
さらに、蓋部５２には、乾電池の交換時期を入浴者に通知するために、表示ランプ５９が設けられている。電源スイッチ５４と切換スイッチ５６は、湿気の多い浴室で使用するためにタッチパネルで構成することが望ましい。
【００４０】
容器５１の裏面には、制御回路８の電源装置である乾電池４５を設置するための乾電池設置部６１が設けられ、乾電池設置部６１に乾電池４５が接続されたとき直接湿気に触れないないように蓋６２が設けられ、止め具６３により蓋６２を係止する構成になっている。このように構成された容器５１に蓋部５２を嵌合させて固定例えばネジ６０によりネジ止めして制御回路８が構成されている。制御回路８は浴室に着脱自在に設置する手段として、２個の吸盤６４，６５およびそれぞれフック６６が設けられている。吸盤６４，６５の周縁部には、吸盤６４，６５を取外すときに使用するためのフック６７，６８が設けられている。
【００４１】
次に、このように構成された浴槽への入浴方法を、図１〜図８を参照して説明する。入浴者は、浴槽２に入浴のための湯を給入する。続いて、入浴者は、図２に示す電極４〜７を図１に示すように浴槽２内壁面に吸着固定する。電極４〜７は、全体が湯内に位置するように設けることが望ましい。脚部や、足に微弱電流を流す場合には、電極４〜７は、底部又は底部に近い位置に設置することが望ましい。
【００４２】
制御回路８を浴室の例えば内壁面に例えば吸盤６４，６５により吸着して設置する。図２に示す電極４〜７のコネクタ２１を図７に示すメス型コネクタ５３に嵌合させて接続する。電源スイッチ５４をＯＮに制御して電源を入れると制御回路８が動作を開始し、表示ランプ５５が点灯する。その後、電極４と５間、および電極６と７間には、微少電流が流れ始める。この状態で１０分間微少電流を流し続けると、浴槽２内の湯水は、まろやかな湯水になる。
【００４３】
１０分間微少電流を流し続けた後、微少電流を流し続けた状態で入浴者は、浴槽２に入り、入浴を開始する。この浴槽用健康促進装置３は、マイクロコンピュータ４６に予め１５分間で自動的に切れるように保護プログラムが入力されている。従って、入浴者は、５分間３０Ｖ又は２０Ｖの電圧が印加された状態で入浴することにより微弱電流を浴びる。この微弱電流の実施例は、電極間電圧２０Ｖで、湯水内に流れる微弱電流は、１０．９μＡであり、電極間電圧３０Ｖで、湯水内に流れる微弱電流は、１１．５μＡであった。この微弱電流は、　入浴者にも流れる。
【００４４】
このようにして僅か５分間微弱電流を入浴者が浴びることによって、入浴者は保温効果が大幅に向上し、入浴しながら細胞の掃除効果あり、血行促進効果を得ることができる。これらの入浴効果は、人によってバラツキがあり、感度の良すぎる方は、強度の調整が必要である。例えばある人は、足の血行状態がかなり改善され、入浴後１時間経過しても依然として保温効果があり、３０分間以上保温効果が改善されている人が多い。血行促進効果は、入浴者の生体に微弱電流が流れることにより湯水がまろやかになり、全身の血行が良くなるものと思われる。さらに、本発明者の実験によれば、新陣代謝が活発化する。微弱電流が流れている湯水中への入浴は、身体全身が優しくマッサージされるので疲労回復に効果がある。
【００４５】
また、湯水がまろやかになる効果があることについて検討した結果を説明する。浴槽用健康促進装置３により湯水に微弱電流を流すことにより、図９に示すように水分子の小集団は、小さくなっていることを見出した。次に、この現象を図９を参照して具体的に説明する。
【００４６】
図９は、縦軸が湯水での電磁波の吸収量であり、横軸が電磁波の掃引周波数であり、共鳴周波数が０で示された吸収曲線図である。即ち、図９は、湯水を透過させる電磁波の周波数を掃引し湯水に含まれる同位元素１７Ｏでの吸収を測定したＮＭＲスペクトルで、共鳴周波数０を中心とした吸収曲線図である。実線は、浴槽用健康促進装置３により２５℃の湯水に微弱電流を流したときの吸収スペクトルを示し、点線は、微弱電流を流さないときの２５℃の湯水の吸収スペクトルを示す。即ち、図９において、微弱電流を流したときの吸収スペクトルの半値幅は、１０３Ｈｚであり、微弱電流を流さないときの湯水の吸収スペクトルの半値幅は７３Ｈｚである。このことから、微弱電流を流した湯水は、水分子の小集団が小さくなっていることが予想される。水分子の小集団が小さければ小さいほど、新陣代謝が活発化する効果が大きくなる。さらに、クラスタが小さければ、肌は、スベスベなめらかになる。
【００４７】
さらに、浴槽用健康促進装置３は、スイッチＯＮして湯水に微弱電流を流したとき、湯水の水面からマイナスイオンを多量に発生させる効果もある。この発生するマイナスイオンの量の実施例は、図１０に示す通りであった。即ち、図１０は、横軸に時間をとり、縦軸にマイナスイオンの測定量をとったときの特性曲線図である。
【００４８】
図１０の特性は、マイナスイオンの測定機器として神戸電波社製のイオンテスタＫＳＴ−９００型を使用して浴槽２に４０℃の湯水を満たし、湯水面上方のマイナスイオン量を測定したデータである。浴槽用健康促進装置３のスイッチがＯＦＦの１５秒間は、浴室のマイナスイオンの測定量５０個／ｃｃ以下を示し、１５秒後、浴槽２の４０℃の湯水の水面近傍に設置したセンサによるマイナスイオンの測定量は、浴槽用健康促進装置３のスイッチをＯＮしたのち増加し、５秒後には飽和特性を示し１２５〜１４０個／ｃｃのマイナスイオンが発生している。５０秒間浴槽用健康促進装置３のスイッチをＯＮしたのちの、６５秒後に浴槽用健康促進装置３のスイッチをＯＦＦしたところ５秒間は、マイナスイオンが発生している状態が図９に示されている。従って、入浴者は、このマイナスイオンも同時に浴びることができる。
【００４９】
浴槽用健康促進装置３のスイッチがＯＦＦ状態で、浴槽２に満たされた４０℃の湯水の水面のセンサが示すマイナスイオンの量は、図１０に点線で示されている。即ち、４０℃の湯水の水面には、マイナスイオンが７０〜９０個／ｃｃ発生している。これらの結果から図１０の特性曲線図は、浴槽用健康促進装置３のスイッチをＯＮすると、マイナスイオンの量が、顕著に増加することを示している。即ち、図１０は、浴槽用健康促進装置３により４０℃の湯水に微弱電流を流すと、マイナスイオンの量が増加することを示している。
【００５０】
上記実施形態では、２組の電極４〜７を４枚設けた実施形態について説明したが、１組２枚の電極４と５又は６と７でもよいし、図１１に示すように一方の電極７１を１枚設け、対向する位置に複数の電極７２，７３，７４を配列することにより、微弱電流を拡散させるようにしてもよい。さらに、図１２のように図１１のような電極配列を互いに、相反する方向に配置することにより微弱電流をさらに拡散させ、より多数の入浴者が同時に入浴することができる。
【００５１】
上記実施形態では、対向する１対の電極を浴槽２の側壁面に設けた実施形態について説明したが、電極は浴槽の底面に設けてもよいし、図１３に示すように入浴者８１の身体に設けてもよい。即ち、入浴者８１の湯水内に位置する例えば背中８２と足８３に夫々対向する電極４と５又は６と７を接触又はクリームを身体表面に塗って設けて、入浴者８１の身体に微弱電流を流してもよい。この実施形態でも入浴者８１の身体に微弱電流を流すことができるので、上記実施形態と同様な効果を得ることができる。
【００５２】
さらに、独立した電源装置とは、浴槽用健康促進装置の動作時にＡＣ電源を使用しない電源をいう。独立した電源装置としては、一次電池、二次電池のいずれも使用可能であり、具体的には、乾電池、ニッケル−カドミウム電池、ニッケル−水素電池、リチウム電池及び燃料電池などが例示される。
【００５３】
さらに、上記実施形態では、電極４と５、６と７、７１と７２，７３，７４に供給する電圧としてパルス電圧を供給する実施例について説明したが、交流電圧でもよいし、一端が接地電位の交流電圧でもよいし、脈流電圧でもよいし、直流電圧でもよい。対向する電極例えば電極４と５に直流電圧を給電する場合、図１４に示すようにマイナス極を接地し、浴槽２を接地することにより入浴者８１が取り扱う電極は、一方の電極４のみ浴槽２の所望する位置に設置すればよい。この実施形態でも上記実施形態と同様な効果を得ることができる。
【００５４】
また、入浴者８１に接触させる場合、１枚の電極４は、図１５に示すように入浴者８１の身体の所望する位置に設けることにより上記実施形態と同様な効果を得ることができる。図１３、１４および図１５において、図１〜１２と同一部分には、同一符号を付与し、その詳細な説明を省略する。図１３、１４および図１５の実施形態で対向する電極は、電流路が形成されるように配置される状態をいう。
【００５５】
上記実施形態では、電極の露出電極の表面を曲面にした実施形態について説明したが、露出電極の表面は平板状でもよい。上記実施形態では、各電極４〜７の電極片３２、中継導体３３について液密に構成された容器内に設けた実施例について説明したが、入浴者の肌に傷を付けないように加工できれば、ケーブル１１〜１３から露出電極体３５に直接接続してもよい。この場合、下側容器３１、蓋体３６は、不要である。
【００５６】
【発明の効果】
以上説明したように、本発明によれば、入浴者が保温効果、血行促進効果、マイナスイオン効果を得ることができる。
【図面の簡単な説明】
【図１】本発明に係る浴槽用健康促進装置の実施形態を説明するための構成図。
【図２】図１の電極の接続状態を説明するための配線図。
【図３】図１および図２の電極を説明するための平面図。
【図４】図３の電極の背面図。
【図５】図３の電極４〜７の内部を説明するため厚さ方向が拡大して示されている断面図。
【図６】図１の制御回路の構成を説明するための回路構成図。
【図７】図６の制御回路を収納する容器の構成を説明するための正面図。
【図８】図７の背面図。
【図９】図１の湯水表面に発生するマイナスイオン発生状態を示す特性曲線図。
【図１０】図１１の湯水の１７Ｏ−ＮＭＲスペクトル特性曲線図。
【図１１】図１の電極配列の他の実施形態を説明するための上面図。
【図１２】図９の他の実施形態を説明するための上面図。
【図１３】図１の他の実施形態を説明するための図。
【図１４】図１の他の実施形態を説明するための図。
【図１５】図１３の他の実施形態を説明するための図。
【符号の説明】
１…浴槽装置、２…浴槽、３…浴槽用健康促進装置、４，５，６，７，７１，７２，７３，７４…電極、８…制御回路、１１，１２，１３，１４，１７，１８，２０…ケーブル、１５，１６，１９…中継具、２１…コネクタ、２２…電極部、２３，２４．２５，２６…保護具、３１…下側容器、３２…電極片、３３…中継導体、３４…曲面状、３５…露出電極体、３６…蓋体、３７，３８，６４，６５…吸盤、４５…乾電池、４６…マイクロコンピュータ、４７…発振回路、４８…昇圧回路、５１…容器、５２…蓋部、５２ａ…斜面、５３…メス型コネクタ、５４…電源スイッチ、５５，５７，５８，５９…表示ランプ、５６…切換スイッチ、６０…ネジ、６１…乾電池設置部、６２…蓋、６３…止め具、３９，４０，６６，６７，６８…フック。
【図１】
2004057668.tif 000003
【図２】
2004057668.tif 000004
【図３】
2004057668.tif 000005
【図４】
2004057668.tif 000006
【図５】
2004057668.tif 000007
【図６】
2004057668.tif 000008
【図７】
2004057668.tif 000009
【図８】
2004057668.tif 000010
【図９】
2004057668.tif 000011
【図１０】
2004057668.tif 000012
【図１１】
2004057668.tif 000013
【図１２】
2004057668.tif 000014
【図１３】
2004057668.tif 000015
【図１４】
2004057668.tif 000016
【図１５】
2004057668.tif 000017